(57)【要約】    【課題】      上り回線において、他セルへの干渉の見積もりを行うことができ、最適な割り当てを可能にすること。    【解決手段】  基地局１００において、スケジューリング／送信パラメータ決定部１１３は、上位レイヤからソフトハンドオーバ情報を入力し、ソフトハンドオーバ状態にある移動局に対して、個別の割り当て処理を行わない。これにより、その移動局は、一定の伝送レート（たとえば、符号化率、変調方式、拡散率、送信電力など）で連続送信を行うことになる。  【選択図】      図１
2004266812.tif 000002
【特許請求の範囲】
【請求項１】
自セル内の通信端末装置に対してスケジューリングおよび送信パラメータの決定を行う割り当て手段と、
前記割り当て手段の割り当て結果を送信する送信手段と、を有し、
前記割り当て手段は、
自セル内の通信端末装置のうちソフトハンドオーバ状態にある通信端末装置に対して、個別の割り当てを行わない、
ことを特徴とする基地局装置。
【請求項２】
前記送信パラメータは、自セル内の通信端末装置が選択可能な伝送レートの上限値である、ことを特徴とする請求項１記載の基地局装置。
【請求項３】
前記割り当て手段で用いられるソフトハンドオーバの情報は、上位レイヤから与えられる、ことを特徴とする請求項１記載の基地局装置。
【請求項４】
ソフトハンドオーバ状態にある通信端末装置に対して伝送レートの変更の可否を判断する判断手段、をさらに有し、
前記送信手段は、
前記判断手段の判断結果に基づく前記割り当て手段の割り当て結果を送信する、
ことを特徴とする請求項１記載の基地局装置。
【請求項５】
ソフトハンドオーバ状態にある通信端末装置が通信している複数の基地局のうち１つの基地局のみが、前記判断手段の判断結果に基づく前記割り当て手段の割り当て結果を送信する、ことを特徴とする請求項４記載の基地局装置。
【請求項６】
ソフトハンドオーバ状態にある通信端末装置に割り当て可能な伝送レートを制限する制限手段、をさらに有し、
前記割り当て手段は、
ソフトハンドオーバ状態にある自セル内の通信端末装置に対して、前記制限手段の制限結果内において送信パラメータの決定を行う、
ことを特徴とする請求項１記載の基地局装置。
【請求項７】
前記割り当て手段は、
自セル内の通信端末装置のうちソフトハンドオーバ状態にある通信端末装置の送信に基づく干渉量を推定し、当該推定結果を加味して、他の通信端末装置に割り当てる送信パラメータを決定する、
ことを特徴とする請求項１記載の基地局装置。
【請求項８】
請求項１記載の基地局装置に接続されたＲＮＣ装置であって、前記基地局装置のセル内の通信端末装置に関するソフトハンドオーバの情報を前記基地局装置に供給する、ことを特徴とするＲＮＣ装置。
【請求項９】
基地局装置からの割り当て結果を取得する取得手段と、
取得された割り当て結果に従って、割り当てられたスケジューリングおよび伝送レートで送信を行う送信手段と、を有し、
前記送信手段は、
自通信端末装置がソフトハンドオーバ状態にある場合、所定の伝送レートで連続送信を行う、
ことを特徴とする通信端末装置。
【請求項１０】
基地局装置からの割り当て結果を取得する取得手段と、
取得された割り当て結果に従って、割り当てられたスケジューリングおよび伝送レートで送信を行う送信手段と、を有し、
前記送信手段は、
自通信端末装置がソフトハンドオーバ状態にある場合、ソフトハンドオーバ状態になる前に送信していた伝送レートで連続送信を行う、
ことを特徴とする通信端末装置。
【請求項１１】
与えられた伝送レートが上限値の場合、前記上限値以下の範囲内において送信可能な伝送レートを決定する決定手段、をさらに有し、
前記送信手段は、
前記決定手段によって決定された伝送レートで送信を行う、
ことを特徴とする請求項９または請求項１０記載の通信端末装置。
【請求項１２】
前記取得手段は、
自通信端末装置がソフトハンドオーバ状態にある場合、基地局装置からの割り当て結果を受信しない、
ことを特徴とする請求項９または請求項１０記載の通信端末装置。
【請求項１３】
前記取得手段は、
自通信端末装置がソフトハンドオーバ状態にある場合、基地局装置から受信した割り当て結果を使用しない、
ことを特徴とする請求項９または請求項１０記載の通信端末装置。
【請求項１４】
前記送信手段で用いられるソフトハンドオーバの情報は、上位レイヤから与えられる、ことを特徴とする請求項９または請求項１０記載の通信端末装置。
【請求項１５】
基地局装置での割り当てに必要な報告情報を生成する生成手段、をさらに有し、
前記送信手段は、
自通信端末装置がソフトハンドオーバ状態にある場合、前記報告情報を送信しない、
ことを特徴とする請求項９または請求項１０記載の通信端末装置。
【請求項１６】
自通信端末装置がソフトハンドオーバ状態にあることを示す信号を生成する生成手段、をさらに有し、
前記送信手段は、
前記生成手段によって生成された信号を、前記基地局装置に設けられたスケジューリングおよび送信パラメータの決定を行う割り当て手段を宛先として送信する、
ことを特徴とする請求項９または請求項１０記載の通信端末装置。
【請求項１７】
前記送信手段は、
送信中は送信電力制御に従う、
ことを特徴とする請求項９または請求項１０記載の通信端末装置。
【請求項１８】
基地局装置からの伝送レート変更可否に基づく割り当て結果を受信する受信手段と、
受信された伝送レート変更可否に基づく割り当て結果に基づいて、伝送レートを変更する変更手段と、
をさらに有することを特徴とする請求項９または請求項１０記載の通信端末装置。
【請求項１９】
自セル内の通信端末装置に対してスケジューリングおよび送信パラメータの決定を行う割り当て手段と、
前記割り当て手段の割り当て結果を送信する送信手段と、を有し、
前記割り当て手段は、
自セル内の通信端末装置のうちソフトハンドオーバ状態にある通信端末装置に対して、常に所定の伝送レートで割り当てを行う、
ことを特徴とする基地局装置。
【請求項２０】
前記割り当て手段で用いられるソフトハンドオーバの情報は、上位レイヤから与えられる、ことを特徴とする請求項１９記載の基地局装置。
【請求項２１】
ソフトハンドオーバ状態にある通信端末装置に対して伝送レートの変更の可否を判断する判断手段、をさらに有し、
前記送信手段は、
前記判断手段の判断結果に基づく前記割り当て手段の割り当て結果を送信する、
ことを特徴とする請求項１９記載の基地局装置。
【請求項２２】
前記割り当て手段は、
自セル内の通信端末装置のうちソフトハンドオーバ状態にある通信端末装置の送信に基づく干渉量を推定し、当該推定結果を加味して、他の通信端末装置に割り当てる送信パラメータを決定する、
ことを特徴とする請求項１９記載の基地局装置。
【請求項２３】
基地局装置からの割り当て結果を取得する取得手段と、
取得された割り当て結果に従って、割り当てられたスケジューリングおよび伝送レートで送信を行う送信手段と、を有し、
前記送信手段は、
自通信端末装置がソフトハンドオーバ状態にある場合、取得された割り当て結果に従って、常に、所定の伝送レートで連続送信を行う、
ことを特徴とする通信端末装置。
【請求項２４】
前記送信手段で用いられるソフトハンドオーバの情報は、上位レイヤから与えられる、ことを特徴とする請求項２３記載の通信端末装置。
【請求項２５】
基地局装置での割り当てに必要な報告情報を生成する生成手段、をさらに有し、
前記送信手段は、
自通信端末装置がソフトハンドオーバ状態にある場合、前記基地局装置からの制御信号に基づいて、前記報告情報を送信しない、
ことを特徴とする請求項２３記載の通信端末装置。
【請求項２６】
自通信端末装置がソフトハンドオーバ状態にあることを示す信号を生成する生成手段、をさらに有し、
前記送信手段は、
前記生成手段によって生成された信号を、前記基地局装置に設けられたスケジューリングおよび送信パラメータの決定を行う割り当て手段を宛先として送信する、
ことを特徴とする請求項２３記載の通信端末装置。
【請求項２７】
前記送信手段は、
送信中は送信電力制御に従う、
ことを特徴とする請求項２３記載の通信端末装置。
【請求項２８】
基地局装置からの伝送レート変更可否に基づく割り当て結果を受信する受信手段と、
受信された伝送レート変更可否に基づく割り当て結果に基づいて、伝送レートを変更する変更手段と、
をさらに有することを特徴とする請求項２３記載の通信端末装置。
【請求項２９】
自セル内の通信端末装置に対してスケジューリングおよび送信パラメータの決定を行う割り当て手段と、
前記割り当て手段の割り当て結果を送信する送信手段と、を有し、
前記割り当て手段は、
自セル内の通信端末装置のうち他セルへの干渉が大きい状態にある通信端末装置に対して、個別の割り当てを行わない、
ことを特徴とする基地局装置。
【請求項３０】
基地局装置からの割り当て結果を取得する取得手段と、
取得された割り当て結果に従って、割り当てられたスケジューリングおよび伝送レートで送信を行う送信手段と、を有し、
前記送信手段は、
自通信端末装置が他セルへの干渉が大きい状態にある場合、所定の伝送レートで連続送信を行う、
ことを特徴とする通信端末装置。
【請求項３１】
自通信端末装置が他セルへの干渉が大きい状態にあることを示す信号を生成する生成手段、をさらに有し、
前記送信手段は、
前記生成手段によって生成された信号を送信する、
ことを特徴とする請求項３０記載の通信端末装置。
【請求項３２】
自セル内の通信端末装置に対してスケジューリングおよび送信パラメータの決定を行う割り当て手段と、
前記割り当て手段の割り当て結果を送信する送信手段と、を有し、
前記割り当て手段は、
自セル内の通信端末装置のうち他セルへの干渉が大きい状態にある通信端末装置に対して、常に所定の伝送レートで割り当てを行う、
ことを特徴とする基地局装置。
【請求項３３】
基地局装置からの割り当て結果を取得する取得手段と、
取得された割り当て結果に従って、割り当てられたスケジューリングおよび伝送レートで送信を行う送信手段と、を有し、
前記送信手段は、
自通信端末装置が他セルへの干渉が大きい状態にある場合、取得された割り当て結果に従って、常に、所定の伝送レートで連続送信を行う、
ことを特徴とする通信端末装置。
【請求項３４】
自セル内の通信端末装置に対してスケジューリングおよび送信パラメータの決定を行う割り当て手段と、
前記割り当て手段の割り当て結果を送信する送信手段と、を有し、
前記送信手段は、
自セル内の通信端末装置のうちソフトハンドオーバ状態にある通信端末装置に対するチャネルを、データを連続して送信可能な別のチャネルに切り替える、
ことを特徴とする基地局装置。
【請求項３５】
基地局装置からの割り当て結果を取得する取得手段と、
取得された割り当て結果に従って、割り当てられたスケジューリングおよび伝送レートで第１のチャネルにより送信を行う送信手段と、を有し、
前記送信手段は、
自通信端末装置がソフトハンドオーバ状態にある場合、データを連続して送信可能な第２のチャネルを用いて連続送信を行う、
ことを特徴とする通信端末装置。
【請求項３６】
自セル内の通信端末装置に対してスケジューリングおよび送信パラメータの決定を行う割り当て手段と、
前記割り当て手段の割り当て結果を送信する送信手段と、を有し、
前記送信手段は、
自セル内の通信端末装置のうち他セルへの干渉が大きい状態にある通信端末装置に対するチャネルを、データを連続して送信可能な別のチャネルに切り替える、
ことを特徴とする基地局装置。
【請求項３７】
基地局装置からの割り当て結果を取得する取得手段と、
取得された割り当て結果に従って、割り当てられたスケジューリングおよび伝送レートで第１のチャネルにより送信を行う送信手段と、を有し、
前記送信手段は、
自通信端末装置が他セルへの干渉が大きい状態にある場合、データを連続して送信可能な第２のチャネルを用いて連続送信を行う、
ことを特徴とする通信端末装置。
【発明の詳細な説明】
【技術分野】
【０００１】
本発明は、基地局装置および通信端末装置に関する。
【背景技術】
【０００２】
下り回線においてパケットデータを高速に伝送する技術として、ＨＳＤＰＡ（High-Speed Downlink Packet Access）と呼ばれるパケット伝送方式が知られている（例えば、特許文献１、非特許文献１参照）。
【０００３】
ＨＳＤＰＡでは、１つの物理チャネルを複数の移動局で時間分割により共有して使用する。このため、基地局は、ある時点でどの移動局に対して情報を伝送するかを決定する（一般に「スケジューリング」と呼ばれる）。スケジューリングは、たとえば、基地局が移動局に送信するデータ量や許容遅延時間、通信品質などに基づいて行われる。
【０００４】
一方、上り回線における高速パケット伝送技術も現在検討されており、一例として、下り回線と同様に、複数の移動局の中から、基地局が、送信できる移動局をスケジューリングする伝送方式が検討されている。この場合、基地局による、送信できる移動局の割り当て（つまり、スケジューリング）は、たとえば、送信電力制御されている送信電力に関する情報やＣＱＩ（Channel Quality Indicator）などの通信品質に基づいて、基地局で決定される。ここで、ＣＱＩとは、基地局において復調可能と推定したパケットデータの変調方式および符号化率を示す信号のことである。
【０００５】
基地局で決定されたスケジューリングの情報（データ送信許可）およびその際の送信パラメータ（伝送レート）は、通信中の各移動局に送信され、各移動局は、送信されたスケジューリング情報および送信パラメータに基づいて、基地局にパケットデータを送信する。すなわち、図２６に示すように、基地局Ｃは、割り当て結果に基づいて、自セル内の各移動局Ａ、Ｂにデータ送信許可および送信パラメータを送信し、各移動局Ａ、Ｂは、基地局Ｃから送信されたデータ送信許可および送信パラメータに従って送信を行う。
【特許文献１】特開２０００−１５１６２３号公報
【非特許文献１】立川敬二監修「Ｗ−ＣＤＭＡ移動通信方式」丸善株式会社、２００１年６月２５日、ｐ．４０３
【発明の開示】
【発明が解決しようとする課題】
【０００６】
しかしながら、上記した従来の、上り回線での高速パケット伝送技術では、基地局での割り当てによって、送信できる移動局が短い時間単位で変化した場合、他セルへの干渉の変動も大きくなる。そのため、他セルでは、その干渉の変動に追従することができず、他セルからの干渉を見積もることが難しくなり、最適な割り当てが困難になる。特にソフトハンドオーバ（ＳＨＯ）中の移動局は、基地局から離れているため、他セルへの干渉が大きい。
【０００７】
本発明は、かかる点に鑑みてなされたものであり、上り回線において、他セルからの干渉の見積もりを行うことができ、最適な割り当てを可能にすることができる基地局装置および通信端末装置を提供することを目的とする。
【課題を解決するための手段】
【０００８】
本発明の基地局装置は、自セル内の通信端末装置に対してスケジューリングおよび送信パラメータの決定を行う割り当て手段と、前記割り当て手段の割り当て結果を送信する送信手段と、を有し、前記割り当て手段は、自セル内の通信端末装置のうちソフトハンドオーバ状態にある通信端末装置に対して、個別の割り当てを行わない、構成を採る。この場合、たとえば、前記割り当て手段で用いられるソフトハンドオーバの情報は、上位レイヤ、より具体的には、上位のＲＮＣ（Radio Network Controller）から与えられる。
【０００９】
この構成によれば、ソフトハンドオーバ状態にある通信端末装置に対しては個別の割り当てを行わないため、その通信端末装置は、ソフトハンドオーバ中は、一定の伝送レートで連続送信を行うことになる。これにより、上り回線において、他セルからの干渉の見積もりを行うことができ、最適な割り当てを可能にすることができる。
【００１０】
本発明の基地局装置は、上記の構成において、前記送信パラメータは、自セル内の通信端末装置が選択可能な伝送レートの上限値である、構成を採る。
【００１１】
この構成によれば、基地局が指定する伝送レートは上限値であり、通信端末装置は指定された伝送レートを上限としてそれ以下の伝送レートを選択することができるため、移動局は、指定された伝送レートでは送信できない場合であっても、送信を行うことが可能になる。
【００１２】
本発明の基地局装置は、上記の構成において、ソフトハンドオーバ状態にある通信端末装置に対して伝送レートの変更の可否を判断する判断手段、をさらに有し、前記送信手段は、前記判断手段の判断結果に基づく前記割り当て手段の割り当て結果を送信する、構成を採る。
【００１３】
この構成によれば、ソフトハンドオーバ状態にある通信端末装置に対して、伝送レートの変更の可否を判断し、この判断結果に基づく割り当て結果を送信するため、その通信端末装置は、回線状態に応じて伝送レートを変更することができ、より有効に無線リソースを使用することができる。
【００１４】
本発明の基地局装置は、上記の構成において、ソフトハンドオーバ状態にある通信端末装置が通信している複数の基地局のうち１つの基地局のみが、前記判断手段の判断結果に基づく前記割り当て手段の割り当て結果を送信する、構成を採る。
【００１５】
この構成によれば、１つの基地局装置のみが送信制御を行うため、複数の基地局装置が送信制御を行う場合と比較して、通信端末装置での送信伝送レートの決定のためのアルゴリズムが不要となり、通信端末装置の処理量を低減するとともに、無線リソースの消費を低減することができる。
【００１６】
本発明の基地局装置は、上記の構成において、ソフトハンドオーバ状態にある通信端末装置に割り当て可能な伝送レートを制限する制限手段、をさらに有し、前記割り当て手段は、ソフトハンドオーバ状態にある自セル内の通信端末装置に対して、前記制限手段の制限結果内において送信パラメータの決定を行う、構成を採る。
【００１７】
この構成によれば、ソフトハンドオーバ状態の通信端末装置が通信している複数の基地局は、それぞれ、他の基地局の割り当てが分からない場合でも、伝送レートが制限されているため、その通信端末装置からの信号の電力を無駄に大きく見積もることがなくなり、自セル内の通信端末装置に対して最適な割り当てを行うことが可能になる。
【００１８】
本発明の基地局装置は、上記の構成において、前記割り当て手段は、自セル内の通信端末装置のうちソフトハンドオーバ状態にある通信端末装置の送信に基づく干渉量を推定し、当該推定結果を加味して、他の通信端末装置に割り当てる送信パラメータを決定する、構成を採る。
【００１９】
この構成によれば、ソフトハンドオーバ状態にある通信端末装置の送信に基づく干渉量を推定し、当該推定結果を加味して、他の通信端末装置に割り当てる送信パラメータを決定するため、ソフトハンドオーバ中の通信端末装置の送信に起因する干渉をも考慮に入れた送信パラメータを求めることができ、割り当ての最適化をより一層図ることができる。
【００２０】
本発明のＲＮＣ装置は、上記構成の基地局装置に接続されたＲＮＣ装置であって、前記基地局装置のセル内の通信端末装置に関するソフトハンドオーバの情報を前記基地局装置に供給する、構成を採る。
【００２１】
この構成によれば、ソフトハンドオーバの制御を行うＲＮＣからソフトハンドオーバの情報を供給するため、上記構成の基地局装置を含む移動通信システムを容易に実現することができる。
【００２２】
本発明の通信端末装置は、基地局装置からの割り当て結果を取得する取得手段と、取得された割り当て結果に従って、割り当てられたスケジューリングおよび伝送レートで送信を行う送信手段と、を有し、前記送信手段は、自通信端末装置がソフトハンドオーバ状態にある場合、所定の伝送レートで連続送信を行う、構成を採る。この場合、たとえば、前記送信手段で用いられるソフトハンドオーバの情報は、上位レイヤから与えられる。
【００２３】
この構成によれば、通信端末装置は、ソフトハンドオーバ状態にある場合、優先的に、所定の伝送レートで連続送信を行うため、上り回線において、他セルからの干渉の見積もりを行うことができ、最適な割り当てを可能にすることができる。
【００２４】
本発明の通信端末装置は、基地局装置からの割り当て結果を取得する取得手段と、取得された割り当て結果に従って、割り当てられたスケジューリングおよび伝送レートで送信を行う送信手段と、を有し、前記送信手段は、自通信端末装置がソフトハンドオーバ状態にある場合、ソフトハンドオーバ状態になる前に送信していた伝送レートで連続送信を行う、構成を採る。この場合、たとえば、前記送信手段で用いられるソフトハンドオーバの情報は、上位レイヤから与えられる。
【００２５】
この構成によれば、通信端末装置は、ソフトハンドオーバ状態にある場合、ソフトハンドオーバ状態になる前に送信していた伝送レートで連続送信を行うため、他セルの基地局装置は自セルの通信端末装置からの信号に与える干渉量を容易に見積もることができ、効率的な割り当てを行うことができる。
【００２６】
本発明の通信端末装置は、上記の構成において、与えられた伝送レートが上限値の場合、前記上限値以下の範囲内において送信可能な伝送レートを決定する決定手段、をさらに有し、前記送信手段は、前記決定手段によって決定された伝送レートで送信を行う、構成を採る。
【００２７】
この構成によれば、通信端末装置は、与えられた伝送レートが上限値の場合、この上限値以下の範囲内において送信可能な伝送レートを決定するため、与えられた伝送レートでは送信できない場合であっても、送信を行うことが可能になる。
【００２８】
本発明の通信端末装置は、上記の構成において、前記取得手段は、自通信端末装置がソフトハンドオーバ状態にある場合、基地局装置からの割り当て結果を受信しない、構成を採る。
【００２９】
この構成によれば、通信端末装置は、ソフトハンドオーバ状態にある場合、基地局装置からの割り当て結果を受信しないため、処理量を削減することができるとともに、消費電力も抑えることができる。
【００３０】
本発明の通信端末装置は、上記の構成において、前記取得手段は、自通信端末装置がソフトハンドオーバ状態にある場合、基地局装置から受信した割り当て結果を使用しない、構成を採る。
【００３１】
この構成によれば、通信端末装置は、ソフトハンドオーバ状態にある場合、基地局装置から受信した割り当て結果を使用しないため、割り当て結果を受信しないという特別の制御を行うことなく、所定の送信を行うことができる。
【００３２】
本発明の通信端末装置は、上記の構成において、基地局装置での割り当てに必要な報告情報を生成する生成手段、をさらに有し、前記送信手段は、自通信端末装置がソフトハンドオーバ状態にある場合、前記報告情報を送信しない、構成を採る。
【００３３】
この構成によれば、ソフトハンドオーバ状態にある場合は報告情報の生成が不要になるため、上り回線におけるリソースの消費と電力の消費を防止することができる。
【００３４】
本発明の通信端末装置は、上記の構成において、自通信端末装置がソフトハンドオーバ状態にあることを示す信号を生成する生成手段、をさらに有し、前記送信手段は、前記生成手段によって生成された信号を、前記基地局装置に設けられたスケジューリングおよび送信パラメータの決定を行う割り当て手段を宛先として送信する、構成を採る。
【００３５】
この構成によれば、基地局装置は、自セル内の通信端末装置がソフトハンドオーバ状態にあることを、上位レイヤからではなく、その通信端末装置からの信号によって直接かつ容易に知ることができる。
【００３６】
本発明の通信端末装置は、上記の構成において、前記送信手段は、送信中は送信電力制御に従う、構成を採る。
【００３７】
この構成によれば、送信中は送信電力制御に従うため、基地局装置における受信性能を担保することができる。
【００３８】
本発明の通信端末装置は、上記の構成において、基地局装置からの伝送レート変更可否に基づく割り当て結果を受信する受信手段と、受信された伝送レート変更可否に基づく割り当て結果に基づいて、伝送レートを変更する変更手段と、をさらに有する構成を採る。
【００３９】
この構成によれば、基地局装置からの伝送レート変更可否に基づく割り当て結果に基づいて、伝送レートを変更するため、回線状態に応じて伝送レートを変更することができ、より有効に無線リソースを使用することができる。
【００４０】
本発明の基地局装置は、自セル内の通信端末装置に対してスケジューリングおよび送信パラメータの決定を行う割り当て手段と、前記割り当て手段の割り当て結果を送信する送信手段と、を有し、前記割り当て手段は、自セル内の通信端末装置のうちソフトハンドオーバ状態にある通信端末装置に対して、常に所定の伝送レートで割り当てを行う、構成を採る。
【００４１】
この構成によれば、ソフトハンドオーバ状態にある通信端末装置に対しては常に所定の伝送レートで割り当てを行うため、上り回線において、他セルからの干渉の見積もりを行うことができ、最適な割り当てを可能にすることができる。
【００４２】
本発明の通信端末装置は、基地局装置からの割り当て結果を取得する取得手段と、取得された割り当て結果に従って、割り当てられたスケジューリングおよび伝送レートで送信を行う送信手段と、を有し、前記送信手段は、自通信端末装置がソフトハンドオーバ状態にある場合、取得された割り当て結果に従って、常に、所定の伝送レートで連続送信を行う、構成を採る。
【００４３】
この構成によれば、通信端末装置は、ソフトハンドオーバ状態にある場合、常に、所定の伝送レートで連続送信を行うため、上り回線において、他セルからの干渉の見積もりを行うことができ、最適な割り当てを可能にすることができる。
【００４４】
本発明の通信端末装置は、上記の構成において、基地局装置での割り当てに必要な報告情報を生成する生成手段、をさらに有し、前記送信手段は、自通信端末装置がソフトハンドオーバ状態にある場合、前記基地局装置からの制御信号に基づいて、前記報告情報を送信しない、構成を採る。
【００４５】
この構成によれば、ソフトハンドオーバ状態にある場合は報告情報の生成が不要になるため、上り回線におけるリソースの消費と電力の消費を防止することができる。
【００４６】
本発明の基地局装置は、自セル内の通信端末装置に対してスケジューリングおよび送信パラメータの決定を行う割り当て手段と、前記割り当て手段の割り当て結果を送信する送信手段と、を有し、前記割り当て手段は、自セル内の通信端末装置のうち他セルへの干渉が大きい状態にある通信端末装置に対して、個別の割り当てを行わない、構成を採る。
【００４７】
この構成によれば、他セルへの干渉が大きい状態にある通信端末装置に対しては個別の割り当てを行わないため、その通信端末装置は、他セルへの干渉が大きい間は、一定の伝送レートで連続送信を行うことになる。これにより、上り回線において、他セルへの干渉の変動を小さくすることができるので、基地局装置は他セルからの干渉の見積もりを行うことができ、最適な割り当てを可能にすることができる。
【００４８】
本発明の通信端末装置は、基地局装置からの割り当て結果を取得する取得手段と、取得された割り当て結果に従って、割り当てられたスケジューリングおよび伝送レートで送信を行う送信手段と、を有し、前記送信手段は、自通信端末装置が他セルへの干渉が大きい状態にある場合、所定の伝送レートで連続送信を行う、構成を採る。
【００４９】
この構成によれば、通信端末装置は、他セルへの干渉が大きい状態にある場合、優先的に、所定の伝送レートで連続送信を行うため、上り回線において、他セルへの干渉の変動を小さくすることができるので、基地局装置は他セルからの干渉の見積もりを行うことができ、最適な割り当てを可能にすることができる。
【００５０】
本発明の基地局装置は、自セル内の通信端末装置に対してスケジューリングおよび送信パラメータの決定を行う割り当て手段と、前記割り当て手段の割り当て結果を送信する送信手段と、を有し、前記割り当て手段は、自セル内の通信端末装置のうち他セルへの干渉が大きい状態にある通信端末装置に対して、常に所定の伝送レートで割り当てを行う、構成を採る。
【００５１】
この構成によれば、他セルへの干渉が大きい状態にある通信端末装置に対しては常に所定の伝送レートで割り当てを行うため、上り回線において、他セルへの干渉の変動を小さくすることができるので、基地局装置は他セルからの干渉の見積もりを行うことができ、最適な割り当てを可能にすることができる。
【００５２】
本発明の通信端末装置は、基地局装置からの割り当て結果を取得する取得手段と、取得された割り当て結果に従って、割り当てられたスケジューリングおよび伝送レートで送信を行う送信手段と、を有し、前記送信手段は、自通信端末装置が他セルへの干渉が大きい状態にある場合、取得された割り当て結果に従って、常に、所定の伝送レートで連続送信を行う、構成を採る。この場合、たとえば、通信端末装置は、自通信端末装置が他セルへの干渉が大きい状態にあることを示す信号を生成する生成手段、をさらに有し、前記送信手段は、前記生成手段によって生成された信号を送信する。
【００５３】
この構成によれば、通信端末装置は、他セルへの干渉が大きい状態にある場合、常に、所定の伝送レートで連続送信を行うため、上り回線において、他セルへの干渉の変動を小さくすることができるので、基地局装置は他セルからの干渉の見積もりを行うことができ、最適な割り当てを可能にすることができる。
【００５４】
本発明の基地局装置は、自セル内の通信端末装置に対してスケジューリングおよび送信パラメータの決定を行う割り当て手段と、前記割り当て手段の割り当て結果を送信する送信手段と、を有し、前記送信手段は、自セル内の通信端末装置のうちソフトハンドオーバ状態にある通信端末装置に対するチャネルを、データを連続して送信可能な別のチャネルに切り替える、構成を採る。
【００５５】
この構成によれば、ソフトハンドオーバ状態にある通信端末装置に対しては連続送信可能な別のチャネルに切り替えるため、その通信端末装置は、ソフトハンドオーバ中は、一定の伝送レートで連続送信を行うことになる。これにより、上り回線において、他セルからの干渉の見積もりを行うことができ、最適な割り当てを可能にすることができる。
【００５６】
本発明の通信端末装置は、基地局装置からの割り当て結果を取得する取得手段と、取得された割り当て結果に従って、割り当てられたスケジューリングおよび伝送レートで第１のチャネルにより送信を行う送信手段と、を有し、前記送信手段は、自通信端末装置がソフトハンドオーバ状態にある場合、データを連続して送信可能な第２のチャネルを用いて連続送信を行う、構成を採る。
【００５７】
この構成によれば、通信端末装置は、ソフトハンドオーバ状態にある場合、連続送信可能な別のチャネルを用いて、所定の伝送レートで連続送信を行うため、上り回線において、他セルからの干渉の見積もりを行うことができ、最適な割り当てを可能にすることができる。
【００５８】
本発明の基地局装置は、自セル内の通信端末装置に対してスケジューリングおよび送信パラメータの決定を行う割り当て手段と、前記割り当て手段の割り当て結果を送信する送信手段と、を有し、前記送信手段は、自セル内の通信端末装置のうち他セルへの干渉が大きい状態にある通信端末装置に対するチャネルを、データを連続して送信可能な別のチャネルに切り替える、構成を採る。
【００５９】
この構成によれば、他セルへの干渉が大きい状態にある通信端末装置に対しては連続送信可能な別のチャネルに切り替えるため、その通信端末装置は、他セルへの干渉が大きい間は、一定の伝送レートで連続送信を行うことになる。これにより、上り回線において、他セルからの干渉の見積もりを行うことができ、最適な割り当てを可能にすることができる。
【００６０】
本発明の通信端末装置は、基地局装置からの割り当て結果を取得する取得手段と、取得された割り当て結果に従って、割り当てられたスケジューリングおよび伝送レートで第１のチャネルにより送信を行う送信手段と、を有し、前記送信手段は、自通信端末装置が他セルへの干渉が大きい状態にある場合、データを連続して送信可能な第２のチャネルを用いて連続送信を行う、構成を採る。
【００６１】
この構成によれば、通信端末装置は、他セルへの干渉が大きい状態にある場合、連続送信可能な別のチャネルを用いて、所定の伝送レートで連続送信を行うため、上り回線において、他セルからの干渉の見積もりを行うことができ、最適な割り当てを可能にすることができる。
【発明の効果】
【００６２】
以上説明したように、本発明によれば、上り回線において、他セルからの干渉の見積もりを行うことができ、最適な割り当てを可能にすることができる。
【発明を実施するための最良の形態】
【００６３】
本発明の骨子は、上り回線における高速パケット伝送方式において、基地局装置が、ソフトハンドオーバ状態または他セルへの干渉が大きい状態にある通信端末装置に対して、個別の割り当てを行わない、または、常に割り当てを行う、または、連続送信可能な別のチャネルに切り替えることにより、その通信端末装置に対して一定の伝送レートで連続送信を行わせ、もって、上り回線において、他セルからの干渉の見積もりを可能にし、最適な割り当てを可能にすることである。
【００６４】
以下、本発明の実施の形態について、図面を参照して詳細に説明する。なお、ここでは、基地局装置を単に「基地局」と、通信端末装置を「移動局」とそれぞれ呼ぶことにする。
【００６５】
（実施の形態１）
図１は、本発明の実施の形態１に係る基地局装置（基地局）１００の要部の構成を示すブロック図である。
【００６６】
図１に示す基地局１００は、自セル内の移動局の中から送信可能な移動局と伝送レート（たとえば、符号化率、変調方式、拡散率、送信電力など）を決定し、割り当てを行う機能を有しており、アンテナ１０１、受信無線部１０３、逆拡散部１０５、復調部１０７、チャネルコーディング部１０９、報告値抽出部１１１、スケジューリング／送信パラメータ決定部１１３、チャネルコーディング部１１５、変調部１１７、拡散部１１９、および送信無線部１２１を有する。ここでは、複数のユーザに対する送信データを扱うことができるようにするため、逆拡散部１０５、復調部１０７、チャネルコーディング部１０９、１１５、変調部１１７、および拡散部１１９は、それぞれ、複数設けられている。
【００６７】
本実施の形態の特徴は、スケジューリング／送信パラメータ決定部１１３に上位レイヤ（たとえば、ＲＮＣ（Radio Network Controller））からソフトハンドオーバ（ＳＨＯ）情報が入力され、このソフトハンドオーバ情報に基づいて割り当ての制御が行われることである。ここで、ソフトハンドオーバ情報とは、自セル内のどの移動局がソフトハンドオーバ状態にあるかを示す情報である。割り当て制御の詳細については、後で説明する。
【００６８】
なお、スケジューリング情報は、割り当てに際して自セル内の移動局の中から決定された送信可能な移動局に関する情報、つまり、データ送信許可に関する情報であり、送信パラメータは、割り当てに際して決定された伝送レート（符号化率、変調方式、拡散率、送信電力など）に関する情報である。ここでは、スケジューリング情報と送信パラメータとを総称して「割り当て情報」と呼ぶことにする。
【００６９】
図２は、本発明の実施の形態１に係る通信端末装置（移動局）１５０の要部の構成を示すブロック図である。
【００７０】
図２に示す移動局１５０は、基地局１００によって割り当てられた場合、割り当てられた伝送レート（符号化率、変調方式、拡散率、送信電力など）に従ってデータを送信する機能を有しており、アンテナ１５１、受信無線部１５３、逆拡散部１５５、復調部１５７、チャネルコーディング部１５９、スケジューリング情報／送信パラメータ抽出部１６１、報告情報生成部１６３、バッファ１６５、チャネルコーディング部１６７、変調部１６９、拡散部１７１、および送信無線部１７３を有する。
【００７１】
本実施の形態では、スケジューリング情報／送信パラメータ抽出部１６１および報告情報生成部１６３に上位レイヤからソフトハンドオーバ情報が入力され、このソフトハンドオーバ情報に基づいて、スケジューリング情報および送信パラメータの抽出を行うか否か、ならびに所定の報告情報を生成するか否かを制御する。ここで、ソフトハンドオーバ情報とは、自移動局がソフトハンドオーバ状態にあることを示す情報である。当該制御の詳細については、後で説明する。
【００７２】
次いで、上記構成を有する基地局１００および移動局１５０の動作について説明する。
【００７３】
基地局１００は、アンテナ１０１で、各移動局から無線送信された信号を受信して、受信無線部１０３へ出力する。
【００７４】
そして、受信無線部１０３では、アンテナ１０１で受信した信号に対してダウンコンバートなどの所定の無線処理を施す。受信無線部１０３の出力信号（ベースバンド信号）は、逆拡散部１０５へ出力される。
【００７５】
そして、逆拡散部１０５で、各ユーザ（移動局）に対する固有の拡散コードを用いて受信信号を逆拡散した後、復調部１０７で、逆拡散後の受信信号を復調する。復調後の受信信号は、チャネルコーディング部１０９へ出力される。
【００７６】
そして、チャネルコーディング部１０９では、復調後の受信信号を復号化して、各ユーザ（移動局）からの受信データを取得するとともに、報告値抽出部１１１へ出力する。
【００７７】
そして、報告値抽出部１１１では、各移動局からの受信データの中から、割り当て処理に必要な所定の報告値（たとえば、ＣＱＩなど）を抽出する。抽出された報告値は、スケジューリング／送信パラメータ決定部１１３へ出力される。
【００７８】
そして、スケジューリング／送信パラメータ決定部１１３では、抽出された報告値を用いて、スケジューリングおよび送信パラメータの決定を行う。すなわち、自セル内の移動局の中から送信可能な移動局と伝送レート（たとえば、符号化率、変調方式、拡散率、送信電力）を決定する。決定された割り当て情報は、チャネルコーディング部１１５へ出力される。
【００７９】
このとき、本実施の形態では、スケジューリング／送信パラメータ決定部１１３には上位レイヤからソフトハンドオーバ情報が入力されるようになっており、スケジューリング／送信パラメータ決定部１１３は、ソフトハンドオーバ状態にある移動局に対して、上記した通常の割り当て処理を行わない。これにより、当該移動局は、後述するように、送信するデータがある場合は一定の伝送レート（符号化率、変調方式、拡散率、送信電力）で連続送信を行うことになる。
【００８０】
また、図示しないが、ソフトハンドオーバ状態が終了した場合は、ソフトハンドオーバ状態の終了を知らせる信号（ソフトハンドオーバ終了情報）を上位レイヤから入力して、当該動作モード（以下「連続送信モード」という）を解除して通常の動作モード（以下「割り当て送信モード」という）に移行させるようにしている。
【００８１】
ここで、スケジューリング／送信パラメータ決定部１１３に入力されるソフトハンドオーバ情報およびソフトハンドオーバ終了情報は、たとえば、図３に示すように、ＲＮＣ１８０から供給される。一般に、ＲＮＣ１８０は、複数の基地局（ＢＴＳ：Base Station Transceiver Subsystem）と接続されており、これら複数のＢＴＳに対して、発着信接続の制御、終話制御、ハンドオーバ制御などを行う機能を有している。
【００８２】
なお、連続送信モードの解除方法は、上記の例に限定されない。たとえば、ソフトハンド状態にある限りソフトハンドオーバ情報が周期的に供給されるシステムにおいては、ソフトハンドオーバ情報の供給が所定時間なかった場合に、連続送信モードを解除して通常の割り当て送信モードに移行させることも可能である。
【００８３】
そして、各ユーザ（移動局）に対する送信データごとに、まず、チャネルコーディング部１１５で、スケジューリング／送信パラメータ決定部１１３からの割り当て情報を含む送信データを符号化した後、変調部１１７で、符号化後の送信データを変調する。変調後の送信データは、拡散部１１９へ出力される。
【００８４】
そして、拡散部１１９では、各ユーザ（移動局）に対する固有の拡散コードを用いて変調後の送信データを拡散する。拡散後の送信データは、送信無線部１２１へ出力され、ここで、アップコンバートなどの所定の無線処理が施された後、アンテナ１０１から無線送信される。
【００８５】
その後、移動局１５０は、アンテナ１５１で、基地局から無線送信された信号を受信して、受信無線部１５３へ出力する。
【００８６】
そして、受信無線部１５３では、アンテナ１５１で受信した信号に対してダウンコンバートなどの所定の無線処理を施す。受信無線部１５３の出力信号（ベースバンド信号）は、逆拡散部１５５へ出力される。
【００８７】
そして、逆拡散部１５５では、送信時と同じ拡散コードを用いて受信信号を逆拡散し、復調部１５７で、逆拡散後の受信信号を復調する。復調後の受信信号は、チャネルコーディング部１５９へ出力される。
【００８８】
そして、チャネルコーディング部１５９では、復調後の受信信号を復号化して、基地局からの受信データを取得するとともに、スケジューリング情報／送信パラメータ抽出部１６１へ出力する。
【００８９】
そして、スケジューリング情報／送信パラメータ抽出部１６１では、基地局からの受信データの中からスケジューリング情報および送信パラメータ（符号化率、変調方式、拡散率、送信電力）を抽出する。抽出されたスケジューリング情報は、バッファ１６５へ出力される。また、抽出された送信パラメータ（変調方式、符号化率、拡散率、送信電力）は、関係する各部、つまり、上記パラメータの順に、変調部１６９、チャネルコーディング部１６７、拡散部１７１、送信無線部１７３へそれぞれ出力される。
【００９０】
このとき、本実施の形態では、スケジューリング情報／送信パラメータ抽出部１６１には上位レイヤからソフトハンドオーバ情報（およびソフトハンドオーバ終了情報）が入力されるようになっており、スケジューリング情報／送信パラメータ抽出部１６１は、自移動局がソフトハンドオーバ状態にある場合、スケジューリング情報および送信パラメータの抽出を行わない。この結果、上り回線におけるリソースの消費と電力の消費を防止することができる。このとき、移動局１５０は、一定の伝送レート（変調方式、符号化率、拡散率、送信電力）で連続送信を行うよう、各部１６５〜１７３を制御する。
【００９１】
ここで、一定の伝送レートは、好ましくは、低い伝送レート、より具体的には、たとえば、利用可能な伝送レートのうち最低速の伝送レートである。このように、低い伝送レート（たとえば、最低速の伝送レート）にすることで、他セルへの干渉を小さくすることができ、基地局は他セルからの干渉を無駄に大きく見積もることがなくなり、自セル内の移動局に対して最適な割り当てを行うことが可能になる。
【００９２】
一方、報告情報生成部１６３では、回線の品質情報を入力して、割り当てのため基地局に報告する情報（たとえば、ＣＱＩなど）を生成する。生成された報告情報（報告値）は、チャネルコーディング部１６７へ出力される。
【００９３】
このとき、本実施の形態では、報告情報生成部１６３には上位レイヤからソフトハンドオーバ情報（およびソフトハンドオーバ終了情報）が入力されるようになっており、報告情報生成部１６３は、自移動局がソフトハンドオーバ状態にある場合、報告情報の生成を行わない。
【００９４】
バッファ１６５は、入力された送信データを一時保持し、スケジューリング情報／送信パラメータ抽出部１６１からのスケジューリング情報に基づいて、保持している送信データをチャネルコーディング部１６７へ出力する。ただし、自移動局がソフトハンドオーバ状態にある場合は、上記のように連続送信を行うべく、連続的にデータの出力が行われる。
【００９５】
そして、チャネルコーディング部１６７では、スケジューリング情報／送信パラメータ抽出部１６１からの伝送レート（特に符号化率）に基づいて、バッファ１６５からの送信データおよび報告情報生成部１６３からの報告情報（ＣＱＩなど）を符号化した後、順次、変調部１６９で、スケジューリング情報／送信パラメータ抽出部１６１からの伝送レート（特に変調方式）に基づいて、符号化後の情報を変調し、拡散部１７１で、スケジューリング情報／送信パラメータ抽出部１６１からの伝送レート（特に拡散率）に基づいて、固有の拡散コードを用いて変調後の情報を拡散する。拡散後の情報は、送信無線部１７３へ出力され、ここで、スケジューリング情報／送信パラメータ抽出部１６１からの伝送レート（特に送信電力）に基づいて、アップコンバートなどの所定の無線処理が施された後、アンテナ１５１から無線送信される。ただし、自移動局がソフトハンドオーバ状態にある場合は、上記のように、一定の伝送レート（符号化率、変調方式、拡散率、送信電力）に制御される。
【００９６】
要するに、本実施の形態では、移動局がソフトハンドオーバ状態になると、基地局は、当該移動局に対して、他の移動局に対するような個別の割り当てを行わず、当該移動局は、送信するデータがある場合は一定の伝送レートで連続送信を行う。すなわち、通常は、移動局は、基地局からの割り当て情報を受信して、割り当てられていた場合にその割り当て情報に従ってデータの送信を行うが、ソフトハンドオーバ中は、この割り当て情報を受信することがなく、一定の伝送レートで連続送信を行うことになる。この結果、他セルの基地局は、ソフトハンドオーバ中の移動局からの信号を常に受信できるため、それを認識して受信電力および他の移動局への干渉を見積もることが可能になり、最適な割り当てを行うことができるようになる。
【００９７】
たとえば、図４の左側に示すように、基地局Ｃは、移動局Ａに対してデータ送信許可および送信パラメータを送り、ソフトハンドオーバ状態になった移動局Ｂに対しては割り当て情報を送らない。基地局Ｄも、移動局Ｂに対しては割り当て情報を送らない。また、移動局は、報告情報（ＣＱＩなど）を送信しない。この結果、図４の右側に示すように、移動局Ａは、基地局Ｃから送られたデータ送信許可および送信パラメータに従って送信を行うが、移動局Ｂは、ソフトハンドオーバ時送信用の一定の送信パラメータに従って連続送信を行う。
【００９８】
このように、本実施の形態によれば、移動局がソフトハンドオーバ状態になると、基地局はその移動局に対して個別の割り当てを行わず、その移動局は一定の伝送レートで連続送信を行うため、上り回線において、他セルへの干渉量の変動を小さくすることができ、割り当てを行う際に他セルからの干渉の見積もりを行うことができ、最適な割り当てを可能にすることができる。
【００９９】
また、これから送信を行うということが、ソフトハンドオーバで接続している基地局のすべてが割り当て時にわかるようにすることで、その時点で干渉量を見積もり、割り当てを行うことが可能になる。
【０１００】
なお、本実施の形態では、ソフトハンドオーバ（ＳＨＯ）情報は上位レイヤ（たとえば、基地局の場合はＲＮＣ）から得られるものとして説明したが、ソフトハンドオーバ状態にあることを示す信号を移動局と基地局との間でやり取りし、この信号によって上記の制御を行うようにしてもよい。この場合、かかる信号は、たとえば、移動局で生成して、基地局内のスケジューリング／送信パラメータ決定部を宛先として基地局に送信される。この結果、基地局（しかも基地局内のスケジューリング／送信パラメータ決定部）は、移動局からの信号によって、その移動局がソフトハンドオーバ状態にあることを直接かつ容易に知ることができる。このため、たとえば、図５に示すように、基地局１００ａは、ＳＨＯ情報抽出部１２３を備えている。ＳＨＯ情報抽出部１２３は、各移動局からの受信データの中から、ソフトハンドオーバ（ＳＨＯ）情報を抽出する。抽出されたソフトハンドオーバ情報は、スケジューリング／送信パラメータ決定部１１３へ出力される。
【０１０１】
また、本実施の形態では、移動局は通常はチャネル品質関連情報（ＣＱＩ）などの報告情報を基地局へ送信し、ソフトハンドオーバ状態になるとＣＱＩなどの報告を中断する（ＣＱＩなどの生成処理を行わない）ようにしているが、もちろん、これはオプションである。このようにソフトハンドオーバ中は報告情報を送らないことにより、上り回線におけるリソースの消費と電力の消費を防止することができる。なお、その場合において、ソフトハンドオーバ状態でなくなったとき、または、ソフトハンドオーバ状態でなくなることがあらかじめ伝わったときは、ＣＱＩなどの報告を再開する。
【０１０２】
また、本実施の形態において、送信中は送信電力制御に従うようにすることが好ましい。これにより、基地局装置における受信性能を担保することができる。
【０１０３】
また、本実施の形態では、移動局は、基地局によって決定された伝送レートに従って送信を行うが、必ずしも割り当てられた伝送レートそのもので送信を行う必要はなく、割り当てられた伝送レートを上限としてそれ以下の伝送レートを適宜選択して送信を行うことも可能である。すなわち、図６（Ａ）に示すように、基地局が選択した送信パラメータそのものを移動局の送信パラメータとする場合のみならず、図６（Ｂ）に示すように、基地局は伝送レートの上限を指定し、つまり、上限値としての送信パラメータを選択し、移動局は指定された伝送レートを上限としてそれ以下の伝送レートを自局の都合で選択して送信を行う場合も可能である。
【０１０４】
このように、基地局が伝送レートの上限を指定することで、移動局は、自局の送信電力やバッファ内のデータ量に応じて、指定の伝送レートでは送信できない場合であっても、指定の伝送レート以下で送信を行うことが可能になる。たとえば、ソフトハンドオーバ状態において基地局がある所定の伝送レートを上限として固定した場合でも、それ以下の小さい範囲で移動局は伝送レートを選択することができる。たとえば、パラメータ３がソフトハンドオーバ中の上限とすれば、移動局はパラメータ２で送信することも可能になる。
【０１０５】
また、本実施の形態では、基地局が個別の割り当てを行わない場合、移動局は所定の伝送レート（またはそれ以下）で送信を行うが、今まで送信していた伝送レートでそのまま（またはそれ以下で）送信を行うことも可能である。すなわち、個別の割り当てを行わないため、そのまま、今まで送信していた伝送レートが指定されたままにするということである。要するに、たとえば、移動局がソフトハンドオーバ状態にある場合（Ｓ１０００：ＹＥＳ）、図７（Ａ）に示すように、所定の伝送レート（またはそれ以下）で送信を行う（Ｓ１１００）場合のみならず、図７（Ｂ）に示すように、ソフトハンドオーバ状態になる直前に使用していた伝送レート（またはそれ以下）で送信を行う（Ｓ１２００）場合も可能である。このように、今まで送信していた伝送レートでそのまま（またはそれ以下で）送信を行うことで、他セルの基地局は自セルの移動局からの信号に与える干渉量を容易に見積もることができ、効率的な割り当てを行うことが可能になる。
【０１０６】
また、上記のように、ソフトハンドオーバ中は、割り当て情報（スケジューリング情報と送信パラメータ）の抽出を行わない、つまり、受信処理してもそれを使用しないことも、あるいは、割り当て情報を受信しない、つまり、受信処理自体を行わないことも可能である。
【０１０７】
すなわち、前者の場合、図８に示すように、基地局からの割り当て情報を受信し（Ｓ２０００）、ソフトハンドオーバ状態にない場合は（Ｓ２１００：ＮＯ）、割り当て情報に示された伝送レート（またはそれ以下）で送信を行い（Ｓ２２００）、ソフトハンドオーバ状態にある場合は（Ｓ２１００：ＹＥＳ）、受信処理して得た情報を使用せず（Ｓ２３００）、所定の伝送レート（またはそれ以下）で送信を行う（Ｓ２４００）。なお、ステップＳ２４００では、所定の伝送レート（またはそれ以下）での送信に代えて、ソフトハンドオーバ状態になる直前に使用していた伝送レート（またはそれ以下）で送信を行うようにしてもよい。
【０１０８】
一方、後者の場合、図９に示すように、ソフトハンドオーバ状態にない場合は（Ｓ３０００：ＮＯ）、基地局からの割り当て情報を受信し（Ｓ３１００）、この割り当て情報に示された伝送レート（またはそれ以下）で送信を行い（Ｓ３２００）、ソフトハンドオーバ状態にある場合は（Ｓ３０００：ＹＥＳ）、割り当て情報の受信処理をせず（Ｓ３３００）、所定の伝送レート（またはそれ以下）で送信を行う（Ｓ３４００）。なお、ステップＳ３４００では、所定の伝送レート（またはそれ以下）での送信に代えて、ソフトハンドオーバ状態になる直前に使用していた伝送レート（またはそれ以下）で送信を行うようにしてもよい。
【０１０９】
図１０は、本実施の形態に係る移動局の一変更例の要部の構成を示すブロック図である。この移動局１５０ａは、上記の機能、つまり、指定された伝送レートを上限として自ら伝送レートを決定する機能、個別の割り当てが行われない場合に、今まで送信していた伝送レートでそのまま（またはそれ以下で）送信を行う機能、および、ソフトハンドオーバ中は割り当て情報があってもそれを使用せず、所定の伝送レート（またはそれ以下）で送信を行う機能を有する。そのため、移動局１５０ａは、送信パラメータ決定部１７５を備えている。
【０１１０】
送信パラメータ決定部１７５は、スケジューリング情報／通信パラメータ抽出部１６１ｂから入力した送信パラメータ（伝送レート）を上限として、使用可能電力の情報（送信無線部１７３から得られる）や送信バッファの情報（送信バッファ１６５から得られる）から、送信可能な送信パラメータ（伝送レート）を決定する。また、ソフトハンドオーバ（ＳＨＯ）情報をスケジューリング情報／送信パラメータ抽出部１６１ｂ経由で入力することで、個別の割り当てが行われない場合に、今まで送信していた伝送レートでそのまま（またはそれ以下で）送信を行うという制御を行うことも可能である。さらに、ソフトハンドオーバ（ＳＨＯ）情報により、スケジューリング情報／送信パラメータ抽出部１６１ｂは、割り当て情報を抽出しないこと、つまり、その情報を使用しないことができる。
【０１１１】
図１１は、本実施の形態に係る移動局の他の変更例の要部の構成を示すブロック図である。この移動局１５０ｂは、上記の機能、つまり、指定された伝送レートを上限として自ら伝送レートを決定する機能、および、個別の割り当てが行われない場合に、今まで送信していた伝送レートでそのまま（またはそれ以下で）送信を行う機能に加えて（この２つの機能は図１０の移動局１５０ａと同様）、ソフトハンドオーバ中は割り当て情報の受信処理を行わず、所定の伝送レート（またはそれ以下）で送信を行う機能を有する。そのため、移動局１５０ｂでは、ソフトハンドオーバ（ＳＨＯ）情報を逆拡散部１５５ａ、復調部１５７ａ、およびチャネルコーディング部１５９ａに入力することで、割り当て情報を受信処理しないように制御することを可能にしている。このように受信処理を行わない場合は、処理量を削減することができ、消費電力も抑えることができる。
【０１１２】
（実施の形態２）
図１２は、本発明の実施の形態２に係る基地局装置（基地局）２００の要部の構成を示すブロック図であり、図１３は、本発明の実施の形態２に係る通信端末装置（移動局）２５０の要部の構成を示すブロック図である。なお、図１２に示す基地局２００は、図１に示す基地局１００と同様の基本的構成を有しており、同一の構成要素には同一の符号を付し、その説明を省略する。また、図１３に示す移動局２５０は、図２に示す移動局１５０と同様の基本的構成を有しており、同一の構成要素には同一の符号を付し、その説明を省略する。
【０１１３】
本実施の形態の特徴は、実施の形態１ではソフトハンドオーバ状態になると基地局も移動局もどちらもソフトハンドオーバ状態であることを認識して（図１および図２中のＳＨＯ情報を参照）送信を行っているのに対し、ここでは、移動局が、通常のモードに従って動作を行うことである。このため、基地局２００は、スケジューリング／送信パラメータ決定部２０１で、ソフトハンドオーバ状態にある移動局に対して毎回割り当てを行い、常に同じ伝送レート（たとえば、変調方式、符号化率、拡散率、送信電力）を割り当てる。
【０１１４】
これにより、移動局２５０は、ソフトハンドオーバ中であっても基地局２００からの割り当て情報に従って送信を行えばよいので、移動局２５０に従来技術に対する新たな機能を追加することなく実施の形態１と同様の作用効果を実現することができる。
【０１１５】
よって、スケジューリング情報／送信パラメータ抽出部１６１ａおよび報告情報生成部１６３ａには、いずれも、ソフトハンドオーバ情報は入力されない。
【０１１６】
なお、この場合、ソフトハンドオーバ中に移動局２５０が報告情報（ＣＱＩなど）を送信しないようにするためには、その旨の制御信号を基地局２００から送信するようにすればよい。
【０１１７】
たとえば、本実施の形態では、図１４の左側に示すように、基地局Ｃは、移動局Ａに対してデータ送信許可および送信パラメータを送り、ソフトハンドオーバ状態になった移動局Ｂに対しては、常に一定の伝送レートで送信させるように割り当て情報を常に送信する。基地局Ｄも、移動局Ｂに対しては、基地局Ｃと同様に、常に一定の伝送レートで送信させるように割り当て情報を常に送信する。また、移動局は、報告情報（ＣＱＩなど）を送信しない。この結果、図１４の右側に示すように、移動局Ａは、基地局Ｃから送られたデータ送信許可および送信パラメータに従って送信を行うが、移動局Ｂは、基地局Ｃ、Ｄの割り当て情報に従うので、結果として、一定の伝送レートで連続送信を行うことになる。
【０１１８】
このように、本実施の形態によれば、移動局がソフトハンドオーバ状態になると、基地局はその移動局に対して常に一定の伝送レートで割り当てを行い、その移動局は一定の伝送レートで連続送信を行うため、上り回線において、他セルからの干渉の見積もりを行うことができ、最適な割り当てを可能にすることができる。
【０１１９】
なお、本実施の形態では、基地局Ｃ、Ｄの両方から割り当て情報が送られて来るものとして説明したが、いずれか一方からであっても同様の結果を得ることが可能である。
【０１２０】
また、実施の形態１で述べた変更例などは、本実施の形態にも当てはまる。
【０１２１】
（実施の形態３）
図１５は、本発明の実施の形態３に係る基地局装置（基地局）３００の要部の構成を示すブロック図であり、図１６は、本発明の実施の形態３に係る通信端末装置（移動局）３５０の要部の構成を示すブロック図である。なお、図１５に示す基地局３００は、図１２に示す基地局２００と同様の基本的構成を有しており、同一の構成要素には同一の符号を付し、その説明を省略する。また、図１６に示す移動局３５０は、図１３に示す移動局２５０と同様の基本的構成を有しており、同一の構成要素には同一の符号を付し、その説明を省略する。
【０１２２】
本実施の形態の特徴は、ソフトハンドオーバ状態において使用される送信パラメータ（たとえば、符号化率、変調方式、拡散率、送信電力など）の変更を許容することである。具体的には、たとえば、アクティブセットの基地局（つまり、ソフトハンドオーバに関係する基地局）すべてが、たとえば、送信電力を増加して伝送レートを上げることを指示してきた場合、移動局は、その指示に従って、送信電力を増加して伝送レートを上げることができる。また、アクティブセットの基地局のうち少なくともいずれか１つの基地局が伝送レートを下げることを指示してきた場合、移動局は、その指示に従って、伝送レートを下げることができる。これにより、他セルへの干渉を軽減することができる。なお、上記指示は、たとえば、割り当て情報に含まれている。
【０１２３】
このため、基地局３００は、伝送レート指示部３０１を有し、移動局３５０は、伝送レート制御部３５１を有する。
【０１２４】
伝送レート指示部３０１では、スケジューリング／送信パラメータ決定部２０１から割り当て情報およびソフトハンドオーバ情報を受け取り、ソフトハンドオーバ中の移動局に対して伝送レートを指示する信号を生成する。生成された指示信号は、チャネルコーディング部１１５へ出力される。
【０１２５】
また、伝送レート制御部３５１では、スケジューリング情報／送信パラメータ抽出部１６１ａからアクティブセットの基地局からの送信パラメータおよび指示信号を受け取り、所定のロジックに従って、送信パラメータ（符号化率、変調方式、拡散率、送信電力）を変更し、各部１６７〜１７３に指示する。
【０１２６】
たとえば、パターン１として、図１７（Ａ）に示すように、ソフトハンドオーバ中の移動局Ｂに対して、基地局Ｃが伝送レートを増加可能と通知し、基地局Ｄが伝送レートを維持と通知してきた場合、移動局Ｂは、伝送レートを変えずに送信を行う。
【０１２７】
また、パターン２として、図１７（Ｂ）に示すように、ソフトハンドオーバ中の移動局Ｂに対して、基地局Ｃが伝送レートを増加可能と通知し、基地局Ｄも伝送レートを増加可能と通知してきた場合、移動局Ｂは、伝送レートを増加して送信を行う。
【０１２８】
また、パターン３として、図１７（Ｃ）に示すように、ソフトハンドオーバ中の移動局Ｂに対して、基地局Ｃが伝送レートを増加可能または維持と通知し、基地局Ｄが伝送レートを減少と通知してきた場合、移動局Ｂは、伝送レートを減少して送信を行う。
【０１２９】
このように、本実施の形態によれば、ソフトハンドオーバ状態にある移動局に対して、基地局は伝送レートの変更の可否を判断し、移動局は各基地局からのその判断結果に基づく割り当て情報に基づいて伝送レートを変更するため、回線状態に応じて伝送レートを変更することができ、他セルへの干渉を軽減することができる。
【０１３０】
なお、本実施の形態では、基地局は、伝送レート変更可否の判断結果に基づく伝送レート増減指示を割り当て情報に含めて送信するようにしているが、伝送レート変更可否の判断結果に基づいて伝送レートを変更し、この変更結果を新しい送信パラメータとして直接送信することも可能である。
【０１３１】
また、本実施の形態は、ソフトハンドオーバ中の連続送信の場合のみならず、常に連続送信を行うような通信方式にも適用することができる。
【０１３２】
また、本実施の形態では、基地局は伝送レートの変更制御を行うことができるが、この制御可能な範囲を限定することも可能である。具体的には、たとえば、伝送レートとして１０段階用意されている場合に、通常時は、図１８（Ａ）に示すように、制御可能な範囲に制限はなく、パラメータ１０まで制御可能であるが、ソフトハンドオーバ（ＳＨＯ）時は、図１８（Ｂ）に示すように、伝送レートを、たとえば、最大でパラメータ４までしか制御できないよう、制限する。このような制限（たとえば、ソフトハンドオーバ時はパラメータ４までしか上げられないということ）を他の基地局が理解していれば、干渉の見積もりをすることが可能になる。この場合、基地局が指定する伝送レート（またはその上限）が制限され、基地局はその中から伝送レート（またはその上限）を割り当てなければならない。
【０１３３】
また、本実施の形態では、伝送レートの変更方法として、ソフトハンドオーバ（ＳＨＯ）中の移動局に対して複数の基地局が伝送レートの変更を許可し、複数の基地局が受信を行う場合を例にとって説明したが（図１７（Ａ）〜図１７（Ｃ）参照）、これに限定されない。たとえば、１つの基地局が伝送レートの変更を許可し、１つまたは複数の基地局が受信を行うことも可能である。すなわち、１つの基地局が送信制御を行うようにしてもよい。
【０１３４】
（実施の形態４）
図１９は、本発明の実施の形態４に係る基地局装置（基地局）４００の要部の構成を示すブロック図であり、図２０は、本発明の実施の形態４に係る通信端末装置（移動局）４５０の要部の構成を示すブロック図である。なお、図１９に示す基地局４００は、図１に示す基地局１００と同様の基本的構成を有しており、同一の構成要素には同一の符号を付し、その説明を省略する。また、図２０に示す移動局４５０は、図２に示す移動局１５０と同様の基本的構成を有しており、同一の構成要素には同一の符号を付し、その説明を省略する。
【０１３５】
本実施の形態の特徴は、実施の形態１ではソフトハンドオーバ情報に基づいて連続送信への切り替えを行うようにしているのに対し、ここでは、ソフトハンドオーバ情報以外の別の情報であって他セルへの干渉の可能性を示すものに基づいて連続送信への切り替えを行うことである。たとえば、移動局においてＣＰＩＣＨ（Common Pilot Channel）の受信レベルを観測し、所定のしきい値を超えた場合は、他セルへの干渉が大きい状態にあるとして、基地局へ信号（干渉報告情報）を送る。そして、その信号を受信した基地局は、その移動局に対して個別の割り当てを行わず、その移動局を連続送信に切り替える。
【０１３６】
このため、基地局４００は、干渉報告情報抽出部４０１を有し、移動局４５０は、干渉報告情報生成部４５１を有する。
【０１３７】
干渉報告情報生成部４５１では、ＣＰＩＣＨ受信電力情報に基づいて干渉報告情報を生成する。具体的には、上記のように、ＣＰＩＣＨの受信電力が所定のしきい値を超えた場合に、他セルへの干渉が大きい状態にあるとして、干渉報告情報を生成する。生成された干渉報告情報は、チャネルコーディング部１１５およびスケジューリング情報／送信パラメータ抽出部１６１へ出力される。
【０１３８】
干渉報告情報抽出部４０１では、各移動局からの受信データの中から干渉報告情報を抽出する。抽出された干渉報告情報は、スケジューリング／送信パラメータ決定部１１３へ出力される。
【０１３９】
スケジューリング／送信パラメータ決定部１１３では、干渉報告情報抽出部４０１から干渉報告情報を入力すると、実施の形態１においてソフトハンドオーバ情報を入力した場合と同様に、干渉報告情報を送信した移動局に対して、上記した通常の割り当て処理を行わない。これにより、当該移動局は、送信するデータがある場合は一定の伝送レート（符号化率、変調方式、拡散率、送信電力）で連続送信を行うことになる。
【０１４０】
そして、その後、当該移動局においてＣＰＩＣＨの受信電力が所定のしきい値よりも小さくなった場合は、その旨を知らせる信号を生成して基地局に送信し、その信号を受信した基地局は、当該移動局を通常の割り当て送信モードに移行させる。
【０１４１】
なお、連続送信モードの解除方法は、上記の例に限定されない。たとえば、ＣＰＩＣＨの受信電力が所定のしきい値を超えている限り干渉報告情報が周期的に供給されるシステムにおいては、干渉報告情報の供給が所定時間なかった場合に、連続送信モードを解除して通常の割り当て送信モードに移行させることも可能である。
【０１４２】
たとえば、ＣＰＩＣＨを利用した干渉量の検出結果として、図２１（Ａ）に示すように、基地局（ＢＴＳ１）とつながっている移動局（ＭＳ）が他の基地局（ＢＴＳ２）に与える干渉量が小さい場合、移動局（ＭＳ）は、基地局（ＢＴＳ１）に対して干渉報告情報を送らず、基地局（ＢＴＳ１）は、移動局（ＭＳ）に対して割り当て情報を送る。これに対し、図２１（Ｂ）に示すように、基地局（ＢＴＳ１）とつながっている移動局（ＭＳ）が他の基地局（ＢＴＳ２）に与える干渉量が大きい場合、移動局（ＭＳ）は、基地局（ＢＴＳ１）に対して干渉報告情報を送り、これを受けて基地局（ＢＴＳ１）は、移動局（ＭＳ）に対して割り当て情報を送らない。
【０１４３】
このように、本実施の形態によれば、移動局が他セルへの干渉の大きい状態になると、基地局はその移動局に対して個別の割り当てを行わず、その移動局は一定の伝送レートで連続送信を行うため、上り回線において、他セルへの干渉量の変動を小さくすることができ、割り当てを行う際に他セルからの干渉の見積もりを行うことができ、最適な割り当てを可能にすることができる。
【０１４４】
なお、本実施の形態では、ソフトハンドオーバ以外で他セルへの干渉を表す状態として、ＣＰＩＣＨの受信レベルを利用しているが、これに限定されるわけではなく、他セルへの干渉を検出できるチャネル（たとえば、一定の電力で送信されパイロット信号を含むチャネル）であればどのようなチャネルを利用してもよい。
【０１４５】
また、本実施の形態では、連続送信への切り替え方法に関して、基地局側で制御する場合について説明したが、これに限定されない。たとえば、移動局が信号を送った後、所定時間後に自発的に連続送信を行うようにしてもよい。
【０１４６】
また、本実施の形態は、ソフトハンドオーバ情報を利用する実施の形態１〜３と任意に組み合わせることが可能である。
【０１４７】
また、実施の形態１〜３で述べたことは、本実施の形態にも当てはまる。なお、連続送信する移動局に対する伝送レートの制御方法は、実施の形態３で述べた方法に限定されるわけではなく、他の方法でもよいことはもちろんである。
【０１４８】
（実施の形態５）
本実施の形態は、連続送信モードへの切り替え方法として、別のチャネルに切り替える場合である。たとえば、ＤＰＣＨ（Dedicated Physical Channel）は、送信するデータがある場合はそのデータを連続で送るため、ソフトハンドオーバ情報（実施の形態１参照）または干渉報告情報（実施の形態４参照）に基づいてチャネルをＤＰＣＨに切り替えることで、連続送信に変えることができる。
【０１４９】
なお、切り替え先のチャネルは、ＤＰＣＨに限定されない。送信するデータがある場合にそのデータを連続で送信するようなチャネルであればどのようなチャネルであってもよい。
【０１５０】
図２２〜図２４は、実施の形態５における連続送信モードへの切り替え方法を説明するための図である。
【０１５１】
図２２に示すように、たとえば、移動局（ＭＳ）がソフトハンドオーバ（ＳＨＯ）状態になると、その移動局（ＭＳ）とソフトハンドオーバ（ＳＨＯ）状態にある基地局（ＢＴＳ１、ＢＴＳ２）は、上位のＲＮＣ１８０から、ＤＰＣＨへのチャネル切り替え情報を得て、移動局（ＭＳ）との間のチャネルを連続送信可能なＤＰＣＨに切り替え、このＤＰＣＨを用いてデータの送信を行う。なお、ソフトハンドオーバ状態でなくなった場合は、ＲＮＣ１８０から、元のチャネルへのチャネル切り替え情報を得て、移動局（ＭＳ）との間のチャネルを元のチャネルに切り替え、割り当てに基づくデータの送信を行う。
【０１５２】
ここで、ＲＮＣ１８０から基地局への、ＤＰＣＨへのチャネル切り替え情報の供給は、たとえば、上記の例のように、ソフトハンドオーバ情報に基づく場合のほかに、干渉報告情報または基地局からの切り替え希望情報に基づく場合でもよい。
【０１５３】
前者の場合、図２３に示すように、ＲＮＣ１８０ａは、ソフトハンドオーバ（ＳＨＯ）情報管理部１８３と、移動局およびチャネル管理部１８１とを有し、ソフトハンドオーバ情報管理部１８３からの情報に基づいて移動局およびチャネル管理部１８１からチャネル切り替え情報が基地局へ供給される。
【０１５４】
また、後者の場合、図２４に示すように、ＲＮＣ１８０ｂは、移動局およびチャネル管理部１８１を有し、基地局からの干渉報告情報（この情報自体は移動局から送信される）または切り替え希望情報に基づいて移動局およびチャネル管理部１８１からチャネル切り替え情報が基地局へ供給される。
【０１５５】
このように、本実施の形態によれば、移動局が他セルへの干渉の大きい状態になると、基地局はその移動局とのチャネルを連続送信可能なチャネルに切り替え、その移動局は一定の伝送レートで連続送信を行うため、上り回線において、他セルへの干渉量の変動を小さくすることができ、割り当てを行う際に他セルからの干渉の見積もりを行うことができ、最適な割り当てを可能にすることができる。
【０１５６】
なお、実施の形態１〜４で述べたことは、本実施の形態にも当てはまる。
【０１５７】
以下、各実施の形態に適用可能な事項として、ソフトハンドオーバ（ＳＨＯ）中の移動局に対する基地局の割り当てと受信の形態について、図２５（Ａ）〜図２５（Ｃ）を用いて説明する。
【０１５８】
ここでは、３つのパターンを示す。第１のパターンは、図２５（Ａ）に示すように、１つの基地局（Ｅ）が割り当てて、１つの基地局（Ｅ）が受信する場合である。第２のパターンは、図２５（Ｂ）に示すように、１つの基地局（Ｅ）が割り当てて、複数の基地局（Ｅ、Ｆ、Ｇ）が受信する場合である。第３のパターンは、図２５（Ｃ）に示すように、複数の基地局（Ｅ、Ｆ、Ｇ）が割り当てて、複数の基地局（Ｅ、Ｆ、Ｇ）が受信する場合である。
【０１５９】
基地局での処理の方が上位のＲＮＣでの処理よりも遅延が小さいため、基地局が割り当てを行うことで、ＲＮＣでの割り当てよりもチャネルの品質に合わせて割り当てを行うことができる。
【０１６０】
各パターンの特徴は次の通りである。第１のパターンは、制御が一番シンプルである。第２のパターンは、複数の基地局で受信が行われるため、第１のパターンよりも受信成功の確率が高くなる（ＲＮＣにデータが集まればよく、そのためにはいずれか１つの基地局で受信されればよいため）。これら２つのパターンは、第３のパターンに比べて、移動局の処理量が少なく、無線リソースも消費しない。第３のパターンは、複数の基地局からの割り当てになるため、移動局での送信伝送レート決定のためのアルゴリズムが必要となり、移動局はそのアルゴリズムに従って各基地局の割り当てから送信伝送レートを決めることができる。
【０１６１】
上記各実施の形態は、第１のパターンから第３のパターンのすべてに適用可能である。実施の形態によって、他セルへの干渉の変動を小さくすることで、他セルでの割り当ての効率化を図ることができ、リソースを有効に使用することができる。
【産業上の利用可能性】
【０１６２】
本発明に係る基地局装置および通信端末装置は、上り回線において、他セルからの干渉の見積もりを行うことができ、最適な割り当てを可能にすることができ、上り回線での高速パケット伝送技術として有用である。
【図面の簡単な説明】
【０１６３】
【図１】本発明の実施の形態１に係る基地局装置の要部の構成を示すブロック図
【図２】本発明の実施の形態１に係る通信端末装置の要部の構成を示すブロック図
【図３】ＲＮＣを含む無線通信システムの構成図
【図４】実施の形態１における基地局装置および通信端末装置の動作を説明するための図
【図５】本発明の実施の形態１に係る基地局装置の一変更例の要部の構成を示すブロック図
【図６】（Ａ）基地局が選択した送信パラメータを移動局の送信パラメータとする場合を示す図、（Ｂ）基地局が選択した送信パラメータを上限として移動局が送信パラメータを選択できる場合を示す図
【図７】（Ａ）基地局が個別の割り当てを行わない場合に、移動局が所定の伝送レート（またはそれ以下）で送信を行う場合を示す図、（Ｂ）基地局が個別の割り当てを行わない場合に、今まで送信していた伝送レートでそのまま（またはそれ以下で）送信を行う場合を示す図
【図８】ソフトハンドオーバ中は、受信した割り当て情報を使用しない場合を示す図
【図９】ソフトハンドオーバ中は、割り当て情報の受信処理をしない場合を示す図
【図１０】本実施の形態に係る移動局の一変更例の要部の構成を示すブロック図
【図１１】本実施の形態に係る移動局の他の変更例の要部の構成を示すブロック図
【図１２】本発明の実施の形態２に係る基地局装置の要部の構成を示すブロック図
【図１３】本発明の実施の形態２に係る通信端末装置の要部の構成を示すブロック図
【図１４】実施の形態２における基地局装置および通信端末装置の動作を説明するための図
【図１５】本発明の実施の形態３に係る基地局装置の要部の構成を示すブロック図
【図１６】本発明の実施の形態３に係る通信端末装置の要部の構成を示すブロック図
【図１７】（Ａ）実施の形態３における基地局装置および通信端末装置の動作の一例を説明するための図、（Ｂ）実施の形態３における基地局装置および通信端末装置の動作の他の例を説明するための図、（Ｃ）実施の形態３における基地局装置および通信端末装置の動作のさらに他の例を説明するための図
【図１８】（Ａ）伝送レートの制御可能範囲に制限がない通常時の場合を示す図、（Ｂ）伝送レートの制御可能範囲に制限があるソフトハンドオーバ時の場合を示す図
【図１９】本発明の実施の形態４に係る基地局装置の要部の構成を示すブロック図
【図２０】本発明の実施の形態４に係る通信端末装置の要部の構成を示すブロック図
【図２１】（Ａ）実施の形態４における基地局装置および通信端末装置の、干渉量が小さい場合の動作を説明するための図、（Ｂ）干渉量が大きい場合の動作を説明するための図
【図２２】実施の形態５におけるＲＮＣ、基地局装置、および通信端末装置の動作を説明するための図
【図２３】実施の形態５におけるＲＮＣの動作態様の一例を示す図
【図２４】実施の形態５におけるＲＮＣの動作態様の他の一例を示す図
【図２５】（Ａ）１つの基地局が割り当てて、１つの基地局が受信する場合を示す図、（Ｂ）１つの基地局が割り当てて、複数の基地局が受信する場合を示す図、（Ｃ）複数の基地局が割り当てて、複数の基地局が受信する場合を示す図
【図２６】従来の基地局装置および通信端末装置の動作を説明するための図
【符号の説明】
【０１６４】
１００、１００ａ、２００、３００、４００  基地局
１０１、１５１  アンテナ
１０３、１５３  受信無線部
１０５、１５５、１５５ａ  逆拡散部
１０７、１５７、１５７ａ  復調部
１０９、１１５、１５９、１５９ａ、１６７  チャネルコーディング部
１１１  報告値抽出部
１１３、２０１  スケジューリング／送信パラメータ決定部
１１７、１６９  変調部
１１９、１７１  拡散部
１２１、１７３  送信無線部
１２３  ＳＨＯ情報抽出部
１５０、１５０ａ、１５０ｂ、２５０、３５０、４５０  移動局
１６１、１６１ａ、１６１ｂ、１６１ｃ  スケジューリング情報／送信パラメータ抽出部
１６３、１６３ａ  報告情報生成部
１６５  バッファ
１７５  送信パラメータ決定部
１８０、１８０ａ、１８０ｂ  ＲＮＣ
１８１  移動局およびチャネル管理部
１８３  ソフトハンドオーバ情報管理部
３０１  伝送レート指示部
３５１  伝送レート制御部
４０１  干渉報告情報抽出部
４５１  干渉報告情報生成部
【図１】
2004266812.tif 000003
【図２】
2004266812.tif 000004
【図３】
2004266812.tif 000005
【図４】
2004266812.tif 000006
【図５】
2004266812.tif 000007
【図６】
2004266812.tif 000008
【図７】
2004266812.tif 000009
【図８】
2004266812.tif 000010
【図９】
2004266812.tif 000011
【図１０】
2004266812.tif 000012
【図１１】
2004266812.tif 000013
【図１２】
2004266812.tif 000014
【図１３】
2004266812.tif 000015
【図１４】
2004266812.tif 000016
【図１５】
2004266812.tif 000017
【図１６】
2004266812.tif 000018
【図１７】
2004266812.tif 000019
【図１８】
2004266812.tif 000020
【図１９】
2004266812.tif 000021
【図２０】
2004266812.tif 000022
【図２１】
2004266812.tif 000023
【図２２】
2004266812.tif 000024
【図２３】
2004266812.tif 000025
【図２４】
2004266812.tif 000026
【図２５】
2004266812.tif 000027
【図２６】
2004266812.tif 000028